(57)【要約】【課題】取付レールに対して着脱自在に取り付けられるフック本体の揺動を防止することができ、かつフック本体の脱落も防止することができる吊り下げ装置を提供すること。【解決手段】取付レール３が壁面に設置され、取付レール３には、その長手方向に延びるスライド溝１８の開口幅を規定する内向き支持片１９が設けられ、フック本体４のヘッド部８をスライド溝１８に挿入して回転させることで、ヘッド部８が内向き支持片１９に係止され、フック本体４が取付レール３に取り付けられるようになっており、フック本体４のフック部６に物品５を掛止させて吊り下げるための吊り下げ装置１であって、ヘッド部８とフック部６とを連結するネック部９の近傍には、スライド溝１８の開口幅と略同一寸法Ｓを有して内向き支持片１９の端面２０に係止される係止部２２が設けられる。【選択図】図５
2012034741.tif 000002
【特許請求の範囲】
【請求項１】
断面視で略Ｃ字形状をなす取付レールが壁面または天井に設置され、該取付レールには、その長手方向に延びるスライド溝の開口幅を規定する内向き支持片が設けられ、フック本体のヘッド部は、前記開口幅より短寸の幅寸法と該開口幅よりも長寸の長手寸法とを有し、該ヘッド部を前記スライド溝に挿入して回転させることで、該ヘッド部が前記内向き支持片に係止され、前記フック本体が前記取付レールに取り付けられるようになっており、該フック本体のフック部に物品を掛止させて吊り下げるための吊り下げ装置であって、
前記ヘッド部と前記フック部とを連結するネック部の近傍には、前記スライド溝の開口幅と略同一寸法を有して前記内向き支持片の端面に係止される係止部が設けられることを特徴とする吊り下げ装置。
【請求項２】
前記フック本体には、前記ヘッド部と前記ネック部と前記フック部とが一体的に設けられるとともに、前記ヘッド部に近接される方向に可動される可動部材が設けられ、該可動部材に、前記係止部が形成されることを特徴とする請求項１に記載の吊り下げ装置。
【請求項３】
前記フック本体には、前記可動部材を前記ヘッド部に近接される方向に付勢する付勢手段が設けられることを特徴とする請求項２に記載の吊り下げ装置。
【請求項４】
前記可動部材は、前記内向き支持片の外面に接触される接触面を有することを特徴とする請求項２または３に記載の吊り下げ装置。
【請求項５】
前記可動部材は、高摺動性を有する樹脂材で形成され、前記係止部が前記内向き支持片の端面に摺動されることを特徴とする請求項２ないし４のいずれかに記載の吊り下げ装置。
【請求項６】
前記可動部材には、前記ネック部の少なくとも一部が嵌合される嵌合凹部が設けられ、該ネック部の先端部が前記可動部材から露呈されることを特徴とする請求項２ないし５のいずれかに記載の吊り下げ装置。
【発明の詳細な説明】
【技術分野】
【０００１】
本発明は、壁面または天井に設置された取付レールに対して着脱自在に取り付けられるフック本体を用いて、絵画や展示パネル等の物品を壁面または天井に近接させて吊り下げるための吊り下げ装置に関する。
【背景技術】
【０００２】
従来の吊り下げ装置では、吊り下げ具を横向きにして吊り下げレール（取付レール）の隙間に、吊り下げ具（フック本体）の係合部を挿入し、その後、吊り下げ具を縦向きに回転させることにより、係合部（ヘッド部）の上下端縁を、吊り下げレールの前縁と後板の間の上下の案内溝に嵌合させるようにしている（例えば、特許文献１参照）。
【先行技術文献】
【特許文献】
【０００３】
【特許文献１】特開平９−２８５３２号公報（第３頁、第３図）
【発明の概要】
【発明が解決しようとする課題】
【０００４】
しかしながら、特許文献１に記載の吊り下げ装置にあっては、使用者が不用意に吊り下げ具（フック本体）に接触したり、地震等が発生したりした際に吊り下げ具が揺動されることで、この吊り下げられた物品が他の物品や壁面等に衝突される虞があるばかりか、吊り下げ具が横向きになって吊り下げレール（取付レール）から外れてしまう虞もある。
【０００５】
本発明は、このような問題点に着目してなされたもので、取付レールに対して着脱自在に取り付けられるフック本体の揺動を防止することができ、かつフック本体の脱落も防止することができる吊り下げ装置を提供することを目的とする。
【課題を解決するための手段】
【０００６】
前記課題を解決するために、本発明の吊り下げ装置は、
断面視で略Ｃ字形状をなす取付レールが壁面または天井に設置され、該取付レールには、その長手方向に延びるスライド溝の開口幅を規定する内向き支持片が設けられ、フック本体のヘッド部は、前記開口幅より短寸の幅寸法と該開口幅よりも長寸の長手寸法とを有し、該ヘッド部を前記スライド溝に挿入して回転させることで、該ヘッド部が前記内向き支持片に係止され、前記フック本体が前記取付レールに取り付けられるようになっており、該フック本体のフック部に物品を掛止させて吊り下げるための吊り下げ装置であって、
前記ヘッド部と前記フック部とを連結するネック部の近傍には、前記スライド溝の開口幅と略同一寸法を有して前記内向き支持片の端面に係止される係止部が設けられることを特徴としている。
この特徴によれば、係止部が内向き支持片の間に配置されることで、フック本体が回転しようとしても、係止部が内向き支持片の端面に係止されて、フック本体の回転が防止されるようになり、使用者が不用意にフック本体に接触したり、地震等が発生したりした場合であってもフック本体の揺動を防止することができ、かつフック本体の脱落も防止することができる。
【０００７】
本発明の吊り下げ装置は、
前記フック本体には、前記ヘッド部と前記ネック部と前記フック部とが一体的に設けられるとともに、前記ヘッド部に近接される方向に可動される可動部材が設けられ、該可動部材に、前記係止部が形成されることを特徴としている。
この特徴によれば、可動部材をヘッド部から離間させると、ヘッド部をスライド溝内に挿入できるようになり、ヘッド部をスライド溝に挿入して回転させた状態で、可動部材をヘッド部に近接させると、係止部が内向き支持片の端面に係止されるようになり、フック本体を取付レールに着脱し易くしつつ、その揺動を防止することができる。
【０００８】
本発明の吊り下げ装置は、
前記フック本体には、前記可動部材を前記ヘッド部に近接される方向に付勢する付勢手段が設けられることを特徴としている。
この特徴によれば、付勢手段により可動部材が自動的にヘッド部に近接されるようになり、かつ付勢手段により係止部が内向き支持片の端面に係止された状態を維持できる。
【０００９】
本発明の吊り下げ装置は、
前記可動部材は、前記内向き支持片の外面に接触される接触面を有することを特徴としている。
この特徴によれば、可動部材の接触面とヘッド部とにより内向き支持片を挟み込むことができ、取付レールからフック本体が脱落してしまうことを防止することができる。
【００１０】
本発明の吊り下げ装置は、
前記可動部材は、高摺動性を有する樹脂材で形成され、前記係止部が前記内向き支持片の端面に摺動されることを特徴としている。
この特徴によれば、フック本体を取付レールに取り付けた状態で、フック本体を取付レールの長手方向に沿って自在に摺動させることができる。
【００１１】
本発明の吊り下げ装置は、
前記可動部材には、前記ネック部の少なくとも一部が嵌合される嵌合凹部が設けられ、該ネック部の先端部が前記可動部材から露呈されることを特徴としている。
この特徴によれば、ネック部の先端部を押圧することで、ネック部に一体的であるヘッド部を可動部材に対して相対移動させることができ、フック本体を取付レールに取り付ける際に、先ずヘッド部のみをスライド溝に挿入して回転させた後、可動部材をヘッド部に近接させて係止部を内向き支持片の端面に係止させることができる。
【図面の簡単な説明】
【００１２】
【図１】実施例１における吊り下げ装置を示す正面図である。
【図２】ピクチャーフックを示す正面側斜視図である。
【図３】ピクチャーフックを示す背面側斜視図である。
【図４】図１における吊り下げ装置を示すＡ−Ａ断面図である。
【図５】図１における吊り下げ装置を示すＢ−Ｂ断面図である。
【図６】ヘッド部をスライド溝に挿入する状態を示す斜視図である。
【図７】ピクチャーフックを取り付けた状態を示す斜視図である。
【図８】可動部材をピクチャーレールから外した状態を示す斜視図である。
【図９】ピクチャーフックを取り外した状態を示す斜視図である。
【図１０】実施例２における吊り下げ装置を示す縦断側面図である。
【発明を実施するための形態】
【００１３】
本発明に係る吊り下げ装置を実施するための形態を実施例に基づいて以下に説明する。
【実施例１】
【００１４】
実施例１に係る吊り下げ装置につき、図１から図９を参照して説明する。以下、図４の紙面下側を吊り下げ装置の正面側（前方側）とし、図５の紙面右側を吊り下げ装置の正面側（前方側）として説明する。
【００１５】
図１の符号１は、本発明の適用された吊り下げ装置である。この吊り下げ装置１は、壁面２に設置されるピクチャーレール３（取付レール）と、このピクチャーレール３に対して着脱自在に取り付けられるピクチャーフック４（フック本体）と、を有している。
【００１６】
この吊り下げ装置１は、絵画や展示パネルの吊り下げ紐等の物品５をピクチャーフック４に掛止させることで、物品５を壁面２に近接させて吊り下げるようになっている。なお、本実施例では、１個のピクチャーフック４を図示しているが、１本のピクチャーレール３に対して複数個のピクチャーフック４を取り付けて使用することもできる。
【００１７】
図２に示すように、ピクチャーフック４は、物品５を掛止するフック部６を有している。このフック部６は側面視で略Ｊ字状をなしている。フック部６には、フック部６に掛止された物品５の外れ止め用の外止金具７が設けられている。この外止金具７はバネ鋼で形成され、フック部６に物品５を掛止させる際に開閉されるようになっている。
【００１８】
図３及び図４に示すように、ピクチャーフック４の背面側には、ヘッド部８が設けられる。そして、このヘッド部８から正面側に延びるネック部９が設けられる。なお、ヘッド部８とネック部９とは、１つの金属材を削り出して一体的に形成されている。フック部６の上部には、雄ネジ部１０が形成されており、この雄ネジ部１０がネック部９に形成された雌ネジ孔１１に螺着されることで、フック部６がネック部９に連結される。このようにヘッド部８とネック部９とフック部６とが互いに固定された一体的な部材となっている。
【００１９】
図１に示すように、ネック部９は、正面視で円形をなす略円筒形状に形成されており、このネック部９には、正面視で円形をなす略円筒形状の可動部材１２が設けられている。この可動部材１２は、ネック部９の先端部１３が嵌合される嵌合孔１４（嵌合凹部）を有している。この嵌合孔１４を介してネック部９の先端部１３が正面側に露呈されている。
【００２０】
図４に示すように、ネック部９の先端部１３には、フランジ部１５が形成されている。このネック部９のフランジ部１５と、可動部材１２の後部に形成されるフランジ部１６と、の間にバネ部材１７（付勢手段）が設けられている。このバネ部材１７によって可動部材１２がヘッド部８に近接する方向に付勢される。
【００２１】
図５に示すように、ピクチャーレール３は、断面視で略Ｃ字形状をなし、ピクチャーレール３は、その長手方向に延びるスライド溝１８が形成されている。そして、ピクチャーレール３の正面側には、スライド溝１８の開口部の開口幅Ｋを規定する上下２つの内向き支持片１９が形成されており、上下両内向き支持片１９の端面２０同士は、互いに対向して配置されている。なお、このピクチャーレール３は、スライド溝１８の奥面側から貫通されたネジ（図示略）等により壁面２に固定されている。
【００２２】
図３に示すように、ピクチャーフック４のヘッド部８は、ピクチャーレール３のスライド溝１８の開口幅Ｋより短寸の幅寸法Ｔと、この開口幅Ｋよりも長寸の長手寸法Ｎと、を有している。そのため、後述するように、ヘッド部８をピクチャーレール３のスライド溝１８に挿入して回転させることで、ヘッド部８をピクチャーレール３の内向き支持片１９に係止させることができる。なお、ヘッド部８の上下端面は、所定の曲率を持つラウンド面２１として形成されており、ヘッド部８がスライド溝１８内で回転し易いようになっている。更になお、ヘッド部８のラウンド面２１曲率は、可動部材１２の外周面の曲率と略同一をなしている。
【００２３】
また、可動部材１２の後部には、ピクチャーレール３のスライド溝１８の開口幅Ｋと略同一の上下寸法Ｓを有して上下両内向き支持片１９の端面２０に係止される係止部２２が設けられる。この係止部２２はネック部９に接触（近接）された状態で配置されている。なお、可動部材１２には、フック部６の雄ネジ部１０が嵌合される凹部２３が上下２箇所に形成されている。
【００２４】
更に、可動部材１２は、耐磨耗性及び高摺動性を有する樹脂材で形成されており、係止部２２には、内向き支持片１９の端面２０に摺動される摺動面２４を有する。後述するように、ピクチャーレール３に取り付けられた状態のピクチャーフック４が左右方向に摺動される際に、係止部２２の摺動面２４が内向き支持片１９の端面２０に摺動されるようになっている。
【００２５】
なお、可動部材１２を形成する樹脂材としては、ポリブチレンナフタレート（ＰＢＮ）やポリエチレンナフタレート（ＰＥＴ）やシリコーン・アクリル共重合体樹脂などが使用される。更に、可動部材１２の表面、特に係止部２２の摺動面２４にフッ素樹脂コーティング等の後加工を施して摺動性を向上させるようにしてもよい。
【００２６】
図５に示すように、可動部材１２の係止部２２は、背面側に向かって凸状に突出されている。ピクチャーフック４がピクチャーレール３に取り付けられた状態では、係止部２２が内向き支持片１９の端面２０の前側半分の範囲に接触される。なお、係止部２２の上下寸法Ｓは、ネック部９の上下寸法Ｅよりも若干大きく形成されている。係止部２２の下方側の摺動面２４が下方側の内向き支持片１９の端面２０に接触された状態では、ネック部９が内向き支持片１９の端面２０に接触されないようになっている。
【００２７】
また、可動部材１２には、内向き支持片１９の外面２５に接触される接触面２６が形成されている。ピクチャーフック４がピクチャーレール３に取り付けられた状態では、可動部材１２の接触面２６とヘッド部８とにより内向き支持片１９が挟み込まれるようになる。更に、ヘッド部８における内向き支持片１９に接触される面は、内向き支持片１９から離れる方向に傾斜された傾斜面２７となっている。そのため、ヘッド部８と内向き支持片１９との接触面積が小さくなり、後述するように、ピクチャーレール３に取り付けられた状態のピクチャーフック４が左右方向に摺動される際に、ヘッド部８と内向き支持片１９との摺動抵抗を低減させることができる。
【００２８】
次に、ピクチャーフック４のピクチャーレール３に対する着脱工程について、図６から図９を参照して説明する。先ず図６に示すように、ピクチャーフック４を取り付ける際には、ピクチャーフック４を横向きにした状態で、ヘッド部８をピクチャーレール３のスライド溝１８の開口部に挿入する。可動部材１２の係止部２２が内向き支持片１９の外面に接触されると、ピクチャーフック４の挿入が一旦停止される。
【００２９】
そして、ネック部９の先端部１３を使用者が指で押圧することで、内向き支持片１９の外面に接触された可動部材１２以外の部位が後方側に移動されるようになる。すると、ヘッド部８が内向き支持片１９より後方側に移動し、ヘッド部８がスライド溝１８内で回転可能となり、ピクチャーフック４を回転させることができるようになる。この状態でピクチャーフック４を９０度回転させて縦向きの状態にする。このようにネック部９の先端部１３が使用者が操作する操作ボタンを構成する。
【００３０】
図７に示すように、ピクチャーフック４が縦向きにされると、ヘッド部８が内向き支持片１９に係止された状態であるため、可動部材１２がバネ部材１７の付勢力によってヘッド部８に近接される方向に移動されるようになっている。可動部材１２の係止部２２がスライド溝１８の開口部、即ち上下両内向き支持片１９の端面２０同士の間に嵌合されるようになる。ピクチャーフック４がピクチャーレール３に取り付けられた状態では、ピクチャーフック４をスライド溝１８に沿って左右方向に自在に摺動させることができる。なお、ピクチャーフック４が左右方向に摺動自在になっていることで、地震等の揺れを吸収できるようになっている。
【００３１】
図８に示すように、ピクチャーフック４を取り外す際には、使用者が可動部材１２を指で摘んで手前側に引く。するとバネ部材１７の付勢力に抗して可動部材１２のみが前方側に移動され、可動部材１２の係止部２２が上下両内向き支持片１９の端面２０同士の間から外れる。この状態でピクチャーフック４を９０度回転させて横向きの状態にする。なお、ピクチャーフック４の回転方向は左右のどちらに回転させてもよい。
【００３２】
図９に示すように、ピクチャーフック４が横向きの状態になると、ヘッド部８がピクチャーレール３のスライド溝１８の開口部から外れる向きとなり、ピクチャーフック４をピクチャーレール３から取り外すことができる。なお、ピクチャーフック４の取り外し後に、バネ部材１７の付勢力によりヘッド部８は、可動部材１２に近接する方向に移動されるようになる。
【００３３】
以上、本実施例における吊り下げ装置１にあっては、ピクチャーフック４の係止部２２が内向き支持片１９の間に配置されることで、ピクチャーフック４が回転しようとしても、係止部２２が内向き支持片１９の端面２０に係止されて、ピクチャーフック４の回転が防止されるようになり、使用者が不用意にピクチャーフック４に接触したり、地震等が発生したりした場合であってもピクチャーフック４の揺動を防止することができ、かつフピクチャーフック４の脱落も防止することができる。
【００３４】
また、ピクチャーフック４には、ヘッド部８とネック部９とフック部６とが一体的に設けられるとともに、ヘッド部８に近接される方向に可動される可動部材１２が設けられ、この可動部材１２に、係止部２２が形成されることで、可動部材１２をヘッド部８から離間させると、ヘッド部８をスライド溝１８内に挿入できるようになり、ヘッド部８をスライド溝１８に挿入して回転させた状態で、可動部材１２をヘッド部８に近接させると、係止部２２が内向き支持片１９の端面２０に係止されるようになり、ピクチャーフック４をピクチャーレール３に着脱し易くしつつ、その揺動を防止することができる。
【００３５】
また、ピクチャーフック４には、可動部材１２をヘッド部８に近接される方向に付勢するバネ部材１７が設けられることで、バネ部材１７により可動部材１２が自動的にヘッド部８に近接されるようになり、かつバネ部材１７により係止部２２が内向き支持片１９の端面２０に係止された状態を維持できる。
【００３６】
また、可動部材１２は、内向き支持片１９の外面２５に接触される接触面２６を有することで、可動部材１２の接触面２６とヘッド部８とにより内向き支持片１９を挟み込むことができ、ピクチャーレール３からピクチャーフック４が脱落してしまうことを防止することができる。
【００３７】
また、可動部材１２は、高摺動性を有する樹脂材で形成され、係止部２２が内向き支持片１９の端面２０に摺動されることで、ピクチャーフック４をピクチャーレール３に取り付けた状態で、ピクチャーフック４をピクチャーレール３の長手方向に沿って自在に摺動させることができる。
【００３８】
また、可動部材１２には、ネック部９の少なくとも一部が嵌合される嵌合孔１４が設けられ、このネック部９の先端部１３が可動部材１２から露呈されることで、ネック部９の先端部１３を押圧することで、ネック部９に一体的であるヘッド部８を可動部材１２に対して相対移動させることができ、ピクチャーフック４をピクチャーレール３に取り付ける際に、先ずヘッド部８のみをスライド溝１８に挿入して回転させた後、可動部材１２をヘッド部８に近接させて係止部２２を内向き支持片１９の端面２０に係止させることができる。
【実施例２】
【００３９】
次に、実施例２に係る吊り下げ装置１’につき、図１０を参照して説明する。なお、前記実施例に示される構成部分と同一構成部分に付いては同一符号を付して重複する説明を省略する。
【００４０】
図１０に示すように、実施例２におけるピクチャーレール３（取付レール）は、実施例１のピクチャーレール３と同一構成となっており、このピクチャーレール３が天井２８に設置されている。また、実施例２におけるピクチャーフック４’（フック本体）は、ネック部９の側方に設けられ、このフック部６’がさらに下方側に屈曲されて延設されている。このフック部６’以外の構成は、実施例１のピクチャーフック４と同一構成となっている。このように、天井２８に設置されたピクチャーレール３に対してピクチャーフック４’を着脱自在に取り付けるために、本発明を適用してもよい。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、吊り下げ装置１を用いて絵画や展示パネル等を吊り下げるようにしているが、吊り下げ装置１により吊り下げられる物品は、絵画や展示パネル等に限らず、その他の生活用品等であってもよい。
【符号の説明】
【００４３】
１                吊り下げ装置
２                壁面
３                ピクチャーレール（取付レール）
４                ピクチャーフック（フック本体）
５                物品
６                フック部
８                ヘッド部
９                ネック部
１２              可動部材
１３              先端部
１４              嵌合孔（嵌合凹部）
１７              バネ部材（付勢手段）
１８              スライド溝
１９              内向き支持片
２０              端面
２２              係止部
２５              外面
２６              接触面
２８              天井
【図１】
2012034741.tif 000003
【図２】
2012034741.tif 000004
【図３】
2012034741.tif 000005
【図４】
2012034741.tif 000006
【図５】
2012034741.tif 000007
【図６】
2012034741.tif 000008
【図７】
2012034741.tif 000009
【図８】
2012034741.tif 000010
【図９】
2012034741.tif 000011
【図１０】
2012034741.tif 000012